(57)【要約】【課題】高温時における好適なモータの作動を実現できるモータ制御装置を提供する。【解決手段】モータ制御装置としての統合弁ＥＣＵ２７は、冷凍サイクル装置における統合弁装置２４の駆動源であるモータ２６を制御する制御部２７ａを備え、モータ２６を通じた統合弁装置２４の制御によって、冷凍サイクル装置の駆動モードに応じた冷媒の流れの切り替えを行う。そして、制御部２７ａは、自身の温度が第１閾値に達したときにモータ２６への通電を停止させる過熱保護処理と、自身の温度が前記第１閾値よりも小さい第２閾値に達したときにモータ２６に供給する駆動電流の電流値を低下させる高温時処理とを行う。【選択図】図２
2020019431.tif 000002
【特許請求の範囲】
【請求項１】
車両用の冷凍サイクル装置に設けられた統合弁装置の駆動源であるモータを制御する制御部を備え、
前記冷凍サイクル装置の駆動モードに応じた冷媒の流れの切り替えを、前記モータを通じた前記統合弁装置の制御によって行うモータ制御装置であって、
前記統合弁装置は、単一の前記モータと、該モータの回転に基づいて開閉される複数の弁を有する弁本体部とを備え、
前記制御部は、自身の温度または前記モータの温度からなる対象温度が第１閾値に達したときに前記モータへの通電を停止させる過熱保護処理と、前記対象温度が前記第１閾値よりも小さい第２閾値に達したときに前記モータに供給する駆動電流の電流値を低下させる高温時処理とを行う、モータ制御装置。
【請求項２】
前記制御部は、前記高温時処理において、前記モータの回転数を低下させる、請求項１に記載のモータ制御装置。
【請求項３】
前記制御部は、前記高温時処理において、前記モータの回転数の低下を開始した後に前記駆動電流の電流値を低下させる、請求項２に記載のモータ制御装置。
【請求項４】
前記制御部は、前記高温時処理において、前記モータの回転数を段階的に低下させる、請求項２又は３に記載のモータ制御装置。
【請求項５】
車両のエンジンルーム内に設けられた、請求項１〜４のいずれか１項に記載のモータ制御装置。
【請求項６】
前記弁本体部は、前記モータの駆動に基づいて自身の軸方向に移動する軸部を備え、
前記複数の弁は、前記軸部との軸方向への係合により開閉される、請求項１〜５のいずれか１項に記載のモータ制御装置。
【請求項７】
車両用の冷凍サイクル装置に設けられる統合弁装置であって、
モータと、
前記モータの駆動力に基づいて開閉される複数の弁を有する弁本体部と、
請求項１〜６のいずれか１項に記載のモータ制御装置と
を一体に備えた統合弁装置。
【請求項８】
車両用の冷凍サイクル装置の一部を構成する熱交換器であって、請求項７に記載の統合弁装置を一体に備えた熱交換器。
【発明の詳細な説明】
【技術分野】
【０００１】
本発明は、車両用の冷凍サイクル装置に設けられる統合弁装置の制御に関するものである。
【背景技術】
【０００２】
車両用の冷凍サイクル装置に設けられる統合弁装置として、例えば特許文献１に開示されるものは、単一のモータと該モータの回転駆動力に基づいて開閉される複数の弁とを備え、複数の弁の開閉によって、冷凍サイクル装置の暖房モードと冷房モードとで冷媒の流れを切り替えるようになっている。
【先行技術文献】
【特許文献】
【０００３】
【特許文献１】特開２０１７−１８７２５５号公報
【発明の概要】
【発明が解決しようとする課題】
【０００４】
上記のような統合弁装置のモータを制御する制御部（制御ＩＣ）では、自身の温度、またはモータの温度が作動に悪影響を及ぼす所定の温度に達した場合に、モータを停止させる過熱保護処理を行うようになっている。従って、このような過熱保護処理が実行されると、ユーザの予期しないタイミングで冷凍サイクル装置が停止されてしまうおそれがあった。
【０００５】
本発明は、上記課題を解決するためになされたものであって、その目的は、高温時における好適なモータの作動を実現できるモータ制御装置、統合弁装置及び熱交換器を提供することにある。
【課題を解決するための手段】
【０００６】
上記課題を解決するモータ制御装置は、車両用の冷凍サイクル装置に設けられた統合弁装置の駆動源であるモータを制御する制御部を備え、前記冷凍サイクル装置の駆動モードに応じた冷媒の流れの切り替えを、前記モータを通じた前記統合弁装置の制御によって行うモータ制御装置であって、前記統合弁装置は、単一の前記モータと、該モータの回転に基づいて開閉される複数の弁を有する弁本体部とを備え、前記制御部は、自身の温度または前記モータの温度からなる対象温度が第１閾値に達したときに前記モータへの通電を停止させる過熱保護処理と、前記対象温度が前記第１閾値よりも小さい第２閾値に達したときに前記モータに供給する駆動電流の電流値を低下させる高温時処理とを行う。
【０００７】
上記態様によれば、モータが強制的に停止される過熱保護処理が実行される前に、モータに供給する駆動電流の電流値を低下させて制御部やモータの発熱度合いを下げることができる。これにより、過熱保護処理が実行されるに至る頻度を抑えることができ、ユーザの予期しないタイミングでモータが停止されることを抑えた好適なモータの作動を実現できる。
【０００８】
上記モータ制御装置において、前記制御部は、前記高温時処理において、前記モータの回転数を低下させる。
上記態様によれば、高温時処理において駆動電流の電流値を下げるだけではなくモータの回転数も下げることで、モータのトルクを確保して作動の不具合の発生を抑えることができる。
【０００９】
上記モータ制御装置において、前記制御部は、前記高温時処理において、前記モータの回転数の低下を開始した後に前記駆動電流の電流値を低下させる。
上記態様によれば、モータの回転数を低下させてモータのトルクを上昇させた後に駆動電流の電流値を低下させることができ、その結果、作動の不具合の発生をより好適に抑えることができる。
【００１０】
上記モータ制御装置において、前記制御部は、前記高温時処理において、前記モータの回転数を段階的に低下させる。
上記態様によれば、高温時処理でモータの回転数を急激に変化させることなく低下させることができ、その結果、モータを安定して駆動することができる。
【００１１】
上記モータ制御装置において、車両のエンジンルーム内に設けられる。
上記態様によれば、高温になりやすいエンジンルーム内に設置されるモータ制御装置において上記の高温時処理が適用されることで、その効果をより顕著に得ることができる。
【００１２】
上記モータ制御装置において、前記弁本体部は、前記モータの駆動に基づいて自身の軸方向に移動する軸部を備え、前記複数の弁は、前記軸部との軸方向への係合により開閉される。
【００１３】
上記態様によれば、モータによって駆動される軸部との軸方向への係合により複数の弁が開閉される統合弁装置に対して、高温時における好適な作動を実現できる。
上記課題を解決する統合弁装置は、車両用の冷凍サイクル装置に設けられる統合弁装置であって、モータと、前記モータの駆動力に基づいて開閉される複数の弁を有する弁本体部と、上記のモータ制御装置とを一体に備える。
【００１４】
上記態様によれば、モータ制御装置を一体に備えた統合弁装置において、高温時における好適な作動を実現できる。
上記課題を解決する熱交換器は、車両用の冷凍サイクル装置の一部を構成する熱交換器であって、上記の統合弁装置を一体に備える。
【００１５】
上記態様によれば、モータ制御装置を含む統合弁装置を一体に備えた熱交換器において、高温時における好適な作動を実現できる。
【発明の効果】
【００１６】
本発明のモータ制御装置、統合弁装置及び熱交換器によれば、高温時における好適なモータの作動を実現できる。
【図面の簡単な説明】
【００１７】
【図１】実施形態の熱交換器を備える冷凍サイクル装置を示す概略構成図。
【図２】同形態の統合弁装置を示す模式断面図。
【図３】（ａ）同形態の冷凍サイクル装置における暖房モード時の挙動を説明するための説明図、（ｂ）暖房モード時の統合弁装置の動作を説明するための模式断面図。
【図４】（ａ）同形態の冷凍サイクル装置における冷房モード時の挙動を説明するための説明図、（ｂ）冷房モード時の統合弁装置の動作を説明するための模式断面図。
【図５】軸部の軸方向位置（パルス数）に応じた各流路の開口面積を示すグラフ。
【図６】（ａ）（ｂ）同形態における暖房モードから冷房モードへの切り替え時の制御部の電流制御を説明するためのグラフ。
【図７】同形態の高温時処理を説明するためのグラフ。
【発明を実施するための形態】
【００１８】
以下、モータ制御装置、統合弁装置及び熱交換器の一実施形態について図面を参照して説明する。なお、図面では、説明の便宜上、構成の一部を誇張又は簡略化して示す場合がある。また、各部分の寸法比率についても、実際と異なる場合がある。
【００１９】
図１に示すように、本実施形態の熱交換器１０は、電動車両（ハイブリッド車、ＥＶ車など）の空調用の冷凍サイクル装置Ｄ（ヒートポンプサイクル装置）に用いられる。冷凍サイクル装置Ｄを備えた車両空調装置は、エバポレータ１４によって冷やした空気を車室内に送風する冷房モードと、ヒータコア（図示略）によって温めた空気を車室内に送風する暖房モードとを切り替え可能に構成されている。また、冷凍サイクル装置Ｄの冷媒循環回路Ｄａは、冷房モードに対応した循環回路と、暖房モードに対応した循環回路とに切り替え可能に構成されている。なお、冷凍サイクル装置Ｄの冷媒循環回路Ｄａに流通される冷媒としては、例えばＨＦＣ系冷媒やＨＦＯ系冷媒を用いることができる。また、冷媒には、コンプレッサ１１を潤滑するためのオイルが含まれることが好ましい。
【００２０】
冷凍サイクル装置Ｄは、冷媒循環回路Ｄａにおいて、コンプレッサ１１と、水冷コンデンサ１２と、熱交換器１０と、膨張弁１３と、エバポレータ１４（蒸発器）とを備えている。
【００２１】
コンプレッサ１１は、車室外のエンジンルームに配置される電動式圧縮機であって、気相冷媒を吸引して圧縮し、それにより過熱状態（高温高圧）となった気相冷媒を水冷コンデンサ１２側に吐出する。コンプレッサ１１から吐出された高温高圧の気相冷媒は、水冷コンデンサ１２内に流入する。なお、コンプレッサ１１の圧縮機構としては、スクロール型圧縮機構やベーン型圧縮機構などの各種圧縮機構を用いることができる。また、コンプレッサ１１はその駆動源としてのモータの制御によって、冷媒吐出能力が制御されるようになっている。
【００２２】
水冷コンデンサ１２は周知の熱交換器であって、冷媒循環回路Ｄａ上に設けられた第１熱交換部１２ａと、冷却水循環装置における冷却水の循環回路Ｃ上に設けられた第２熱交換部１２ｂとを備える。なお、当該循環回路Ｃ上には、前記ヒータコアが設けられている。水冷コンデンサ１２は、第１熱交換部１２ａ内を流れる気相冷媒と第２熱交換部１２ｂ内を流れる冷却水との間で熱交換させる。すなわち、水冷コンデンサ１２では、第１熱交換部１２ａ内の気相冷媒の熱によって第２熱交換部１２ｂ内の冷却水が加熱される一方、第１熱交換部１２ａ内の気相冷媒が冷却されるようになっている。従って、水冷コンデンサ１２は、コンプレッサ１１から吐出され第１熱交換部１２ａに流入した冷媒が持つ熱を、冷却水とヒータコアとを介して間接的に車両空調装置の送風空気に放熱させる放熱器として機能する。
【００２３】
水冷コンデンサ１２の第１熱交換部１２ａを通過した気相冷媒は、後述の統合弁装置２４を介して熱交換器１０に流入する。熱交換器１０は、車室外のエンジンルーム内における車両前方側の図示しないフロントグリルの近傍に配置される室外熱交換器であり、熱交換器１０の内部を流通する冷媒と、図示しない送風ファンにより送風された車室外空気（外気）との間で熱交換させるものである。
【００２４】
膨張弁１３は、熱交換器１０から供給された液相冷媒を減圧膨張させる温度感応型の機械式膨張弁である。膨張弁１３は、低温高圧状態の液相冷媒を減圧してエバポレータ１４に供給する。
【００２５】
エバポレータ１４は、冷房モード時において送風空気を冷却する冷却用熱交換器（蒸発器）である。膨張弁１３からエバポレータ１４に供給された液相冷媒は、エバポレータ１４周辺（車両空調装置のダクト内）の空気と熱交換する。この熱交換によって、液相冷媒が気化し、エバポレータ１４周辺の空気が冷却される。その後、エバポレータ１４内の冷媒はコンプレッサ１１に向けて流出され、該コンプレッサ１１で再び圧縮される。
【００２６】
［熱交換器の構成］
熱交換器１０は、第１熱交換部２１と、過冷却器として機能する第２熱交換部２２とを備える。さらに、熱交換器１０は、第１及び第２熱交換部２１，２２と連結された貯液器２３と、貯液器２３に設けられた統合弁装置２４とが一体に構成されてなる。すなわち、統合弁装置２４は、車室外のエンジンルーム内における車両前方側の図示しないフロントグリルの近傍に配置される。第１熱交換部２１の流入路２１ａ及び流出路２１ｂは、統合弁装置２４と連通されている。また、第２熱交換部２２の流入路２２ａは、貯液器２３及び統合弁装置２４と連通されている。
【００２７】
第１熱交換部２１は、内部に流通する冷媒の温度に応じて凝縮器又は蒸発器として機能する。貯液器２３は気相冷媒と液相冷媒とを分離し、その分離した液相冷媒が貯液器２３内に貯まるように構成されている。第２熱交換部２２は、貯液器２３から流入した液相冷媒と外気との間で熱交換させることで、該液相冷媒を更に冷却して該冷媒の過冷却度を高め、その熱交換後の冷媒を膨張弁１３へと流す。なお、第１熱交換部２１、第２熱交換部２２及び貯液器２３は、例えばボルト締結にて相互に連結されることで一体的に構成されている。
【００２８】
［統合弁装置の構成］
図２に示すように、統合弁装置２４は、貯液器２３内に配置される弁本体部２５と、弁本体部２５を駆動させるための単一のモータ２６と、モータ２６を通じて弁本体部２５を制御する統合弁ＥＣＵ２７（モータ制御装置）と、一対のＰＴセンサ（第１ＰＴセンサ２８及び第２ＰＴセンサ２９）とを備えている。なお、統合弁ＥＣＵ２７を構成する図示しない回路基板は、モータ２６に一体に設けられている。すなわち、回路基板を含む統合弁ＥＣＵ２７は、前記熱交換器１０と共に前記エンジンルーム内に設けられている。また、統合弁ＥＣＵ２７は、上位ＥＣＵ（例えば、エアコンＥＣＵ１００）と電気的に接続されている。また、モータ２６には、例えばステッピングモータなどが用いられる。
【００２９】
弁本体部２５は、内部に冷媒が流通可能に構成されたハウジング３０と、ハウジング３０内に設けられた第１〜第３弁３１〜３３とを備えている。ハウジング３０には、モータ２６が一体に設けられている。
【００３０】
ハウジング３０には、第１流入口４１ａ及び第１流出口４１ｂを有する第１流路４１（高圧流路）と、第２流入口４２ａから第２流出口４２ｂまでの流路である第２流路４２と、前記第２流入口４２ａから第３流出口４３ｂまでの流路である第３流路４３（図４（ｂ）参照）とが形成されている。
【００３１】
第１流路４１の第１流入口４１ａは、水冷コンデンサ１２（第１熱交換部１２ａ）の吐出側と接続され、第１流路４１の第１流出口４１ｂは、第１熱交換部２１（熱交換器１０）の流入路２１ａと接続されている。すなわち、第１流路４１は、コンプレッサ１１から吐出される高圧冷媒を通す高圧流路として構成されている。
【００３２】
第２流入口４２ａは、第１熱交換部２１の流出路２１ｂと接続されている。第２流出口４２ｂは、コンプレッサ１１の流入側と接続されている。そして、第３流出口４３ｂは、貯液器２３の内部を通じて第２熱交換部２２（熱交換器１０）の流入路２２ａと連通されている。
【００３３】
第１弁３１（高圧弁）は第１流路４１に設けられ、第１流路４１の開閉を行う。また、第２弁３２は第２流路４２に設けられ、第２流路４２の開閉を行う。そして、第３弁３３は第３流路４３に設けられ、第３流路４３の開閉を行う。
【００３４】
弁本体部２５は、第１〜第３弁３１〜３３を駆動させるための軸部４４をハウジング３０内に備えている。軸部４４はモータ２６と同軸をなして駆動連結され、モータ２６の駆動力に基づいて軸方向に進退するように構成されている。なお、以下では、説明の便宜上、軸部４４における軸方向のモータ２６側（軸方向基端側）を上側とし、軸部４４における軸方向の反モータ側（軸方向先端側）を下側として説明する。
【００３５】
第１弁３１は、軸部４４と軸方向に係合可能とされた第１弁体５１と、ハウジング３０に固定された第１弁座５２とを備えている。第１弁体５１は、軸部４４が挿通される貫通孔５１ａを有している。また、第１弁体５１は、第１付勢部材５３（圧縮コイルばね）によって軸方向の第１弁座５２側に付勢されている。
【００３６】
第１弁体５１は可変絞り弁５４を有している。可変絞り弁５４は、軸部４４に設けられて軸部４４と一体に動作するフランジ状の可変絞り弁体５５と、該可変絞り弁体５５にて開閉される弁座としての前記貫通孔５１ａとからなる。
【００３７】
第１弁体５１は、可変絞り弁体５５と軸方向に係合可能に構成されている。詳しくは、第１弁体５１の上側端面には、可変絞り弁体５５が内部に配置される筒部５１ｂが一体に設けられ、その筒部５１ｂには、可変絞り弁体５５の上側に位置する係合部５１ｃが設けられている。係合部５１ｃは、軸部４４が上側に移動したときに可変絞り弁体５５と当接するように構成されている。また、筒部５１ｂの周壁には、複数の流路５１ｄが形成されている。
【００３８】
可変絞り弁体５５は、第１弁体５１の貫通孔５１ａの上側端部（開口）を開閉可能に構成されている。すなわち、可変絞り弁体５５は、軸部４４が下側に移動したときに貫通孔５１ａと当接して該貫通孔５１ａを閉塞する。なお、貫通孔５１ａの開口径は第１弁座５２の開口径よりも小さい。
【００３９】
上記のように構成された第１弁３１では、軸部４４が上方に駆動されると、可変絞り弁体５５の上端面が係合部５１ｃに対して軸方向に当接し、第１弁体５１が第１付勢部材５３の付勢力に抗して上方に押し上げられ、第１弁座５２から離隔する（図４（ｂ）参照）。一方、軸部４４が下方に駆動されると、第１弁体５１は第１付勢部材５３の付勢力によって押し下げられ、第１弁座５２に当接して該第１弁座５２の開口を閉塞する（図２及び図３（ｂ）参照）。
【００４０】
また、第１弁体５１が第１弁座５２を閉塞する状態においては、筒部５１ｂ内の可変絞り弁体５５の軸方向位置を調節することで、貫通孔５１ａに流れる冷媒の量の調節が可能となっている（図３（ｂ）参照）。これにより、第１流路４１に流れる冷媒の量の微調整が可能となっている。また、第１弁体５１が第１弁座５２を閉塞する状態では、第１流入口４１ａから流入した高圧冷媒は、貫通孔５１ａを通って減圧され、低圧の冷媒となって第１流出口４１ｂから第１熱交換部２１側に流れる。なお、第１弁座５２及び貫通孔５１ａが共に閉塞されると、第１流路４１が閉止される（第１流路４１の開口面積がゼロとなる）。
【００４１】
図２及び図４（ｂ）に示すように、第２弁３２は、第２弁体６１と、ハウジング３０に固定された第２弁座６２とを備えている。また、第３弁３３は、第３弁体７１と、ハウジング３０に設けられた第３弁座７２とを備えている。
【００４２】
第２及び第３弁体６１，７１は、１つの弁体部材８０に一体的に設けられている。弁体部材８０は、軸部４４の軸方向に互いに対向する第２弁座６２と第３弁座７２との間に配置され、軸部４４と軸方向に係合可能に構成されている。なお、第３弁座７２は、第２弁座６２よりも下側に配置されている。そして、第２弁体６１は弁体部材８０の上端面に、第３弁体７１は弁体部材８０の下端面にそれぞれ設けられている。また、弁体部材８０は、第２付勢部材８１（圧縮コイルばね）によって軸方向の第３弁座７２側に付勢されている。第２弁体６１及び第３弁体７１を有する弁体部材８０と、第２及び第３弁座６２，７２とは三方弁を構成している。なお、上記第１付勢部材５３の第１弁体５１に対する付勢力は、第２付勢部材８１の弁体部材８０に対する付勢力よりも大きく設定されている。
【００４３】
図４（ｂ）に示すように、軸部４４が上方に駆動されると、弁体部材８０は、該弁体部材８０の下側に位置し軸部４４の外周面から突出する係合凸部８２との係合によって、第２付勢部材８１の付勢力に抗して上方に押し上げられ、弁体部材８０の第３弁体７１が第３弁座７２から離隔する。その後、弁体部材８０が更に上方に押し上げられると、弁体部材８０の第２弁体６１が第２弁座６２に当接して該第２弁座６２の開口を閉塞する。
【００４４】
一方、図２に示すように、軸部４４が下方に駆動されると、弁体部材８０は第２付勢部材８１の付勢力によって押し下げられ、第３弁座７２に当接して該第３弁座７２の開口を閉塞する。なお、軸部４４は、軸部４４の下方駆動時において、弁体部材８０の上端面と軸方向に当接可能な当接部８３を有している。
【００４５】
統合弁ＥＣＵ２７は、モータ２６に供給する駆動電流（以下、モータ駆動電流とも言う）を制御することでモータ２６の駆動を制御する制御部２７ａを備えている。以下には、オープンループ制御によって位置決めが可能なステッピングモータをモータ２６に用いた場合における制御部２７ａの制御について説明する。制御部２７ａは、モータ２６に入力する駆動パルスの数によってモータ２６の回転角度を管理する。そして、制御部２７ａは、イニシャライズ処理によって検出した原点位置Ｐ０に基づいて軸部４４の位置制御を行う。本実施形態では、図２に示す、第１流路４１（第１弁座５２及び貫通孔５１ａ）及び第３流路４３（第３弁３３）が閉止されるときの軸部４４の位置（最下端位置）を原点位置Ｐ０とし、軸部４４の上方駆動に伴い駆動パルスの加算を行う。
【００４６】
制御部２７ａは、モータ駆動電流の周波数を変えることでモータ２６の回転数を調整する。具体的には、制御部２７ａはＰＷＭ制御によりモータ駆動電流を調整し、該ＰＷＭ制御の制御周波数（ＰＷＭ周波数）を変えることでモータ２６の回転数を調整する。すなわち、ＰＷＭ制御の制御周波数を高くすることでモータ２６の回転数を大きく、ＰＷＭ制御の制御周波数を低くすることでモータ２６の回転数を小さく制御する。
【００４７】
また、制御部２７ａは、モータ駆動電流の電流値を調整する。制御部２７ａにてモータ駆動電流の電流値を可変する方法としては、ＰＷＭ制御のデューティ比を変化させずに基準電流を可変する方法や、デューティ比自体を可変する方法などが挙げられる。また、制御部２７ａは、予め設定されたマップや計算式に基づいて、軸部４４の軸方向位置に応じたモータ２６の回転数（駆動電流の周波数）の指令値及び電流値の指令値を設定する。
【００４８】
また、制御部２７ａは、自身に含まれるＩＣの温度モニタのための図示しない温度センサを備え、該温度センサの情報を制御部２７ａ自身の温度情報としている。制御部２７ａは、自身の温度が第１閾値Ｔ１に達したときにモータ２６への通電を停止させる過熱保護処理と、自身の温度が第１閾値Ｔ１よりも小さい第２閾値Ｔ２に達したときにモータ駆動電流の電流値を低下させる後述の高温時処理とを行う。
【００４９】
第１ＰＴセンサ２８は、第１弁３１の上流側（第１流入口４１ａ側）の流路に設けられている。第１ＰＴセンサ２８は、第１弁３１の上流側における冷媒の圧力及び温度を検出し、その情報を統合弁ＥＣＵ２７に出力する。第１ＰＴセンサ２８の圧力情報は、当該第１ＰＴセンサ２８で検出される冷媒の温度情報に基づいてより正確な値に補正される。第２ＰＴセンサ２９は、第１弁３１の下流側（第１流出口４１ｂ側）の流路に設けられている。第２ＰＴセンサ２９は、第１弁３１の下流側における冷媒の圧力及び温度を検出し、その情報を統合弁ＥＣＵ２７に出力する。第２ＰＴセンサ２９の圧力情報は、当該第２ＰＴセンサ２９で検出される冷媒の温度情報に基づいてより正確な値に補正される。なお、第１ＰＴセンサ２８及び第２ＰＴセンサ２９は、弁本体部２５のハウジング３０に設けられている。
【００５０】
暖房モード時における冷凍サイクル装置Ｄ及び統合弁装置２４の挙動を、図３（ａ）（ｂ）及び図５に示す。なお、図５は、軸部４４の軸方向位置（パルス数）に応じた第１〜第３流路４１〜４３の各々の開口面積（流路断面積）を示すグラフであり、第１流路４１の開口面積を実線、第２流路４２の開口面積を破線、第３流路４３の開口面積を１点鎖線で示している。
【００５１】
暖房モードでは、軸部４４は、第１弁体５１の開動作が開始される位置Ｐ１（第１弁体５１が第１弁座５２から離れる位置）よりも原点位置Ｐ０側（下側）に位置する。すなわち、暖房モードでは、第１弁３１（第１弁座５２）は閉止されており、第１流路４１の冷媒流量は可変絞り弁５４によって調節される。このとき、コンプレッサ１１で圧縮され水冷コンデンサ１２（第１熱交換部１２ａ）を介して第１流入口４１ａに供給される高圧冷媒は、可変絞り弁５４の貫通孔５１ａを通って減圧され、低圧冷媒となって第１流出口４１ｂから第１熱交換部２１側に流れる。また、このとき、第３弁３３が閉止され、第２弁３２が開放される。
【００５２】
統合弁装置２４の第１流出口４１ｂから流入路２１ａを介して第１熱交換部２１に流入した冷媒は、第１熱交換部２１の内部を通った後、流出路２１ｂを介して統合弁装置２４の第２流入口４２ａに流入する。このとき、第３流路４３（第３弁３３）が閉止されるとともに、第２流路４２（第２弁３２）が開放されているため、第２流入口４２ａから流入した冷媒は、第２流路４２の第２流出口４２ｂから吐出される。そして、第２流出口４２ｂから吐出された冷媒は、コンプレッサ１１に吸引されて再度圧縮され、水冷コンデンサ１２側に吐出される。
【００５３】
暖房モードから冷房モードへの切り替え時には、モータ２６の駆動によって軸部４４が上方駆動される。このとき、位置Ｐ１で第１弁３１が開放された後、位置Ｐ２で第３弁３３（第３流路４３）が開放され、その後、上限位置Ｐ３（冷房モード位置）で第２弁３２（第２流路４２）が閉止される。
【００５４】
冷房モード時における冷凍サイクル装置Ｄ及び統合弁装置２４の挙動を、図４（ａ）（ｂ）及び図５に示す。
冷房モードでは、第１弁３１（第１弁座５２）が開放される。また、第３弁３３（第３流路４３）が開放されるとともに、第２弁３２（第２流路４２）が閉止される。
【００５５】
コンプレッサ１１で圧縮され第１流入口４１ａに流入する高圧の気相冷媒は、第１弁座５２の開口を通じて、減圧されずにそのまま第１流出口４１ｂを介して第１熱交換部２１に流入する。冷房モードにおいて、第１熱交換部２１は凝縮器として機能する。すなわち、第１熱交換部２１を通る冷媒は外気と熱交換し、その一部が液相に変化する。
【００５６】
第１熱交換部２１を通った後、流出路２１ｂを介して第２流入口４２ａに流入した冷媒は、第３流路４３を通って第３流出口４３ｂから吐出される。第３流出口４３ｂから吐出された冷媒は、貯液器２３及び流入路２２ａを介して第２熱交換部２２に流入する。第２熱交換部２２を通った後、該第２熱交換部２２から吐出された冷媒は、膨張弁１３を介してエバポレータ１４に供給される。冷媒は、エバポレータ１４での熱交換（送風空気の冷却）後、コンプレッサ１１に向けて流出され、コンプレッサ１１で再び圧縮される。
【００５７】
次に、通常駆動で暖房モードから冷房モードに切り替えるとき（すなわち、軸部４４を原点位置Ｐ０から上限位置Ｐ３まで上方駆動させるとき）の統合弁ＥＣＵ２７の制御態様について説明する。
【００５８】
図６（ａ）（ｂ）に示すように、統合弁ＥＣＵ２７の制御部２７ａは、上方駆動（冷房モード切り替え）の指令信号を受けると、モータ２６の回転数（駆動電流の周波数）を第１の回転数ｒ１とし、モータ駆動電流の電流値を第１の値Ａ１とする。なお、このとき、制御部２７ａは、モータ２６の回転数を第１の回転数ｒ１まで段階的に増加させる。
【００５９】
その後、軸部４４が、第１弁体５１の開動作が開始される前記位置Ｐ１を通過する前に、制御部２７ａは、モータ２６の回転数を第１の回転数ｒ１から第２の回転数ｒ２まで下げ、軸部４４が位置Ｐ１を通過した後まで第２の回転数ｒ２で一定とする。また、制御部２７ａは、軸部４４が位置Ｐ１を通過する前に、モータ駆動電流の電流値を第１の値Ａ１から第２の値Ａ２まで上げ、軸部４４が位置Ｐ１を通過した後まで第２の値Ａ２で一定とする。これにより、軸部４４が位置Ｐ１を通過するときに、モータ２６が高トルクで駆動される。そして、軸部４４が位置Ｐ１を通過した後、制御部２７ａは、モータ２６の回転数を第１の回転数ｒ１に戻し、モータ駆動電流を第１の値Ａ１に戻し、それらの値で軸部４４が上限位置Ｐ３に達するまで一定とする。
【００６０】
次に、制御部２７ａによる高温時処理について説明する。
図７には、モータ２６の回転数が第１の回転数ｒ１で、モータ駆動電流が第１の値Ａ１でモータ２６を通常駆動しているときに、高温時処理を実行する状況を一例として示している。なお、高温時処理は、軸部４４の駆動が上方駆動であるか下方駆動であるかに関わらず、モータ２６の駆動時において制御部２７ａの温度が第２閾値Ｔ２に達したときに実行される。
【００６１】
同図に示すように、制御部２７ａの温度が第２閾値Ｔ２未満の領域から第２閾値Ｔ２以上の領域に切り替わったとき、制御部２７ａは、まず、モータ２６の回転数を第１の回転数ｒ１から第３の回転数ｒ３まで段階的に（例えば１次関数的に）低下させる。第３の回転数ｒ３は、第２の回転数ｒ２よりも小さな値に設定されている。その後、制御部２７ａは、モータ駆動電流を第１の値Ａ１から第３の値Ａ３まで低下させる。ここで、制御部２７ａは、例えば、自身の温度が第２閾値Ｔ２に達した時点からの経過時間が所定時間に達したとき、または、自身の温度が第２閾値Ｔ２に達した時点の軸部４４の位置から所定量だけ軸部４４が移動したときに、モータ駆動電流の電流値の低下を開始する。または、制御部２７ａは、モータ２６の回転数（指令値）が第３の回転数ｒ３まで下がったことをトリガーとして、モータ駆動電流の電流値の低下を開始する。
【００６２】
その後、制御部２７ａの温度が第２閾値Ｔ２以上、かつ、第１閾値Ｔ１未満である領域では、制御部２７ａは、モータ２６の回転数を第３の回転数ｒ３、モータ駆動電流を第３の値Ａ３でそれぞれ一定とする。
【００６３】
上記の高温時処理によって制御部２７ａの温度が低下し、当該温度が第２閾値Ｔ２よりも小さい第３閾値Ｔ３未満となったとき、制御部２７ａは、モータ２６の回転数及びモータ駆動電流の電流値を通常駆動の値（図７の例では第１の回転数ｒ１及び第１の値Ａ１）に戻す。このとき、制御部２７ａは、まず、モータ駆動電流を第３の値Ａ３から第１の値Ａ１まで上昇させる。その後、制御部２７ａは、モータ２６の回転数を第３の回転数ｒ３から第１の回転数ｒ１まで段階的に（例えば１次関数的に）上昇させる。ここで、制御部２７ａは、例えば、自身の温度が第３閾値Ｔ３まで下がった時点からの経過時間が所定時間に達したとき、または、自身の温度が第３閾値Ｔ３まで下がった時点の軸部４４の位置から所定量だけ軸部４４が移動したときに、モータ２６の回転数の上昇を開始する。
【００６４】
本実施形態の作用について説明する。
制御部２７ａの温度が第２閾値Ｔ２に達したときにモータ駆動電流の電流値を下げることで、制御部２７ａの温度上昇を抑えている。このため、制御部２７ａの温度が第２閾値Ｔ２よりも大きい第１閾値Ｔ１に達して過熱保護処理が実行されるに至る頻度が抑えられ、その結果、ユーザの予期しないタイミングでモータ２６、ひいては車両空調装置が停止されるといった事象の発生を少なく抑えることができる。また、周囲環境などの影響によって、高温時処理でモータ駆動電流を第３の値Ａ３まで低下させても制御部２７ａの温度上昇が免れない場合には、過熱保護処理によって制御部２７ａの破損が防止されている。
【００６５】
本実施形態の効果について説明する。
（１）モータ制御装置としての統合弁ＥＣＵ２７は、冷凍サイクル装置Ｄにおける統合弁装置２４の駆動源であるモータ２６を制御する制御部２７ａを備え、モータ２６を通じた統合弁装置２４の制御によって、冷凍サイクル装置Ｄの駆動モード（冷房モード及び暖房モード）に応じた冷媒の流れの切り替えを行う。そして、制御部２７ａは、自身の温度が第１閾値Ｔ１に達したときにモータ２６への通電を停止させる過熱保護処理と、自身の温度が第１閾値Ｔ１よりも小さい第２閾値Ｔ２に達したときにモータ駆動電流の電流値を低下させる高温時処理とを行う。この態様によれば、モータ２６が強制的に停止される過熱保護処理が実行される前に、モータ駆動電流の電流値を低下させて制御部２７ａの発熱度合いを下げることができる。これにより、過熱保護処理が実行されるに至る頻度を抑えることができ、ユーザの予期しないタイミングでモータ２６が停止されることを抑えた好適な作動を実現できる。
【００６６】
（２）制御部２７ａは、高温時処理においてモータ２６の回転数を低下させる。この態様によれば、高温時処理においてモータ駆動電流の電流値を下げるだけではなくモータ２６の回転数も下げることで、モータ２６のトルクを確保して作動の不具合（ステッピングモータの場合には脱調）の発生を抑えることができる。
【００６７】
（３）制御部２７ａは、高温時処理においてモータ２６の回転数の低下を開始した後にモータ駆動電流の電流値を低下させる。この態様によれば、モータ２６の回転数を低下させてモータ２６のトルクを上昇させた後にモータ駆動電流の電流値を低下させることができ、その結果、作動の不具合（ステッピングモータの場合には脱調）の発生をより好適に抑えることができる。
【００６８】
（４）制御部２７ａは、高温時処理においてモータ２６の回転数を段階的に低下させる。この態様によれば、高温時処理でモータ２６の回転数を急激に変化させることなく低下させることができる。このため、モータ２６にステッピングモータを用いた場合の脱調の発生をより抑制でき、その結果、モータ２６を安定して駆動することができる。
【００６９】
（５）統合弁ＥＣＵ２７を含む統合弁装置２４が車両のエンジンルーム内に設けられる。すなわち、高温になりやすいエンジンルーム内に設置される統合弁ＥＣＵ２７において上記の高温時処理が適用されることで、その効果をより顕著に得ることができる。また、本実施形態の冷凍サイクル装置Ｄは、複数の弁が統合された統合弁装置２４を備え、さらに、その統合弁装置２４に統合弁ＥＣＵ２７が一体に設けられるため、冷凍サイクル装置Ｄのシステム全体として小型化を図ることができる。
【００７０】
（６）弁本体部２５は、モータ２６の駆動に基づいて自身の軸方向に移動する軸部４４を備え、第１〜第３弁３１〜３３は、軸部４４との軸方向への係合により開閉される。この態様によれば、モータ２６によって駆動される軸部４４との軸方向への係合により第１〜第３弁３１〜３３が開閉される統合弁装置２４に対して、高温時における好適な作動を実現できる。
【００７１】
本実施形態は、以下のように変更して実施することができる。本実施形態及び以下の変更例は、技術的に矛盾しない範囲で互いに組み合わせて実施することができる。
・上記実施形態では、制御部２７ａ自身の温度情報に基づいて過熱保護処理及び高温時処理を行うが、これに限らず、モータ２６自体の温度情報に基づいて上記実施形態とほぼ同様の過熱保護処理及び高温時処理を行う態様としてもよい。なお、モータ２６自体の温度情報の取得する手段としては、モータ２６自身に設けた温度センサであってもよい。また、第１ＰＴセンサ２８や第２ＰＴセンサ２９から得られる冷媒の温度情報、エアコンＥＣＵ１００から得た車両の外気温情報、及び制御部２７ａ自身の温度情報の３つの温度情報のいずれか１つ、または、いずれか２つの組み合わせ、または、３つ全ての温度情報からモータ２６の温度を推定する態様としてもよい。また、モータ２６の駆動情報（印加電圧や回転数など）に基づいてモータ２６の温度を推定する態様としてもよい。
【００７２】
・上記実施形態の高温時処理では、制御部２７ａの温度が第２閾値Ｔ２に達した後、モータ２６の回転数が第３の回転数ｒ３まで下がった後に、モータ駆動電流を第３の値Ａ３まで低下させる。しかしながら、これに限らず、モータ２６の回転数を第３の回転数ｒ３まで段階的に低下させている途中、または、制御部２７ａの温度が第２閾値Ｔ２に達した時点で、モータ駆動電流を第３の値Ａ３まで低下させてもよい。
【００７３】
・上記実施形態では、軸部４４の最下端位置を原点位置Ｐ０としているが、軸部４４の最上端位置（上限位置Ｐ３）を原点位置Ｐ０としてもよい。
・上記実施形態の暖房モードから冷房モードへの切り替え時では、モータ２６の回転トルクを上げた状態（すなわち、モータ２６の回転数が第２の回転数ｒ２とされ、電流値が第２の値Ａ２とされた状態）で、第１弁体５１の開動作が開始される位置Ｐ１を軸部４４が通過するように電流制御される。しかしながら、これに限らず、モータ２６の回転数を第１の回転数ｒ１とし、電流値を第１の値Ａ１として回転トルクを変えずに、軸部４４が位置Ｐ１を通過するように電流制御してもよい。
【００７４】
・モータ２６にはステッピングモータ以外にブラシレスの同期モータやブラシ付きモータなどを用いることも可能である。なお、ブラシ付きモータの場合、モータ印加電圧を変えることでモータの回転数を調節できる。
【００７５】
・上記実施形態では、制御部２７ａの機能を、統合弁装置２４に一体に設けられる統合弁ＥＣＵ２７に備えたが、これに特に限定されるものではなく、例えば、エアコンＥＣＵ１００などの上位ＥＣＵに備えてもよい。
【００７６】
・上記実施形態の統合弁装置２４における複数の弁（第１〜第３弁３１〜３３）の開閉機構などの構成は例示であり、冷凍サイクル装置Ｄの構成などに応じて、上記実施形態以外の構成に変更してもよい。
【符号の説明】
【００７７】
Ｄ…冷凍サイクル装置、１０…熱交換器、２４…統合弁装置、２５…弁本体部、２６…モータ、２７…統合弁ＥＣＵ（モータ制御装置）、２７ａ…制御部、３１…第１弁、３２…第２弁、３３…第３弁、４４…軸部、Ｔ１…第１閾値、Ｔ２…第２閾値。
【図１】
2020019431.tif 000003
【図２】
2020019431.tif 000004
【図３】
2020019431.tif 000005
【図４】
2020019431.tif 000006
【図５】
2020019431.tif 000007
【図６】
2020019431.tif 000008
【図７】
2020019431.tif 000009